(57)【要約】【課題】遺体の安置状態を崩すことなく、遺体収容室の出し入れ口から遺体を出し入れすることのできる遺体保冷庫が望まれている。【解決手段】遺体保冷庫１は、箱状に形成された本体ケーシング２と、本体ケーシング２内に設けられていて当該側面に遺体を出し入れするための出し入れ口４Ａが形成されている遺体収容室４と、遺体収容室４内を冷却する冷却機構１５と、遺体収容室４の出し入れ口４Ａを開閉するために出し入れ口４Ａの下縁部に略上下方向揺動自在に枢支された蓋体７と、を備えて成り、本体ケーシング２の下部に脚柱体７６が略水平方向旋回自在に枢支され、所定の支持位置に旋回された脚柱体７６が、出し入れ口４Ａから揺動されて略水平姿勢となった蓋体７をその位置に支持する構成にされているものである。【選択図】図８
2013059532.tif 000002
【特許請求の範囲】
【請求項１】
箱状に形成された本体ケーシングと、本体ケーシング内に設けられていて当該側面に遺体を出し入れするための出し入れ口が形成されている遺体収容室と、遺体収容室内を冷却する冷却機構と、遺体収容室の出し入れ口を開閉するために出し入れ口の下縁部に略上下方向揺動自在に枢支された蓋体と、を備えて成り、本体ケーシングの下部に脚柱体が略水平方向旋回自在に枢支され、所定の支持位置に旋回された脚柱体が、出し入れ口から揺動されて略水平姿勢となった蓋体をその位置に支持する構成にされていることを特徴とする遺体保冷庫。
【請求項２】
遺体収容室の出し入れ口を蓋止した状態の蓋体をロックするロック部材が本体ケーシングに設けられ、ロック部材を蓋体ロック状態またはロック解除状態に作動させるためにロック部材に連結されているとともに所定の支持位置に旋回した脚柱体と係脱自在に係合する係合部材が、本体ケーシングの下部に設けられ、脚柱体が所定の支持位置に旋回されたときに、脚柱体と係合した係合部材がロック部材を作動させて蓋体のロック状態を解除する構成にされている請求項１に記載の遺体保冷庫。
【請求項３】
箱状に形成された本体ケーシングと、本体ケーシング内に設けられていて当該側面に遺体を出し入れするための出し入れ口が形成されている遺体収容室と、遺体収容室内を冷却する冷却機構と、遺体収容室の出し入れ口を開閉するために出し入れ口の下縁部に略上下方向揺動自在に枢支された蓋体と、を備えて成り、蓋体の外面に脚柱体が略上下方向揺動自在に枢支され、所定位置に揺動された脚柱体が、出し入れ口から揺動されて略水平姿勢となった蓋体をその位置に支持する構成にされていることを特徴とする遺体保冷庫。
【請求項４】
遺体収容室の出し入れ口を蓋止した状態の蓋体をロックするロック部材が蓋体に設けられ、ロック部材を蓋体ロック状態またはロック解除状態に作動させるためのリンク機構を介して、ロック部材と脚柱体とが連結され、脚柱体が蓋体から揺動されたときに、リンク機構がロック部材を作動させて蓋体のロック状態を解除する構成にされている請求項３に記載の遺体保冷庫。
【請求項５】
少なくともロック部材が、当該ロック部材を外部から視認可能なカバー体に内蔵されている請求項１から請求項４のいずれか一項に記載の遺体保冷庫。
【請求項６】
冷却機構が、冷媒を循環させて冷凍サイクル動作を行なう冷媒回路の蒸発器を含んで成る請求項１から請求項５のいずれか一項に記載の遺体保冷庫。
【請求項７】
水受皿と、冷媒回路の蒸発器で生じたドレン水を水受皿に導く導水路と、水受皿上に設置されてドレン水を吸収し蒸発させる吸水体と、から成るドレン蒸発機構を備えて成る請求項６に記載の遺体保冷庫。
【発明の詳細な説明】
【技術分野】
【０００１】
本発明は、遺体を収容して低温に保つ遺体保冷庫に関するものである。
【背景技術】
【０００２】
従来、この種の遺体保冷庫としては、例えば下記の特許文献１に記載されたものが知られている。この文献記載の遺体保冷庫は、遺体を収容する保冷庫本体と、保冷庫本体内を冷却する冷却装置とを備えた遺体保冷庫であって、冷却装置は、電流が供給されることにより冷却側から熱を吸収してその熱を放熱側から放出するペルチェ素子を有して構成されている。また、保冷庫本体は、遺体を出し入れするための出し入れ開口と、出し入れ開口を閉じるように設けられた開閉扉とを有している。
【先行技術文献】
【特許文献】
【０００３】
【特許文献１】特開２００１−１２４４５２号公報
【発明の概要】
【発明が解決しようとする課題】
【０００４】
ところで、上記した遺体保冷庫に収容されて低温に保持されている遺体は、生前親しかった弔問客であれば、死者の尊顔を拝したい場合がある。このような場合に、遺体は出し入れ開口から庫外に寸時出されてお念仏を受けることがある。このように、遺体収容室の出し入れ口から遺体を出し入れする場合に、遺体の姿勢が変わって死者の尊厳を損なわせることがある。遺体の出し入れ回数が多くなる程、顕著である。
【０００５】
本発明は、上記した従来の問題点に鑑みてなされたものであって、遺体の安置状態を崩すことなく、遺体収容室の出し入れ口から遺体を出し入れすることのできる遺体保冷庫の提供を目的とする。
【課題を解決するための手段】
【０００６】
上記目的を達成するために、本発明に係る遺体保冷庫は、箱状に形成された本体ケーシングと、本体ケーシング内に設けられていて当該側面に遺体を出し入れするための出し入れ口が形成されている遺体収容室と、遺体収容室内を冷却する冷却機構と、遺体収容室の出し入れ口を開閉するために出し入れ口の下縁部に略上下方向揺動自在に枢支された蓋体と、を備えて成り、本体ケーシングの下部に脚柱体が略水平方向旋回自在に枢支され、所定の支持位置に旋回された脚柱体が、出し入れ口から揺動されて略水平姿勢となった蓋体をその位置に支持する構成にされているものである。
【０００７】
また、前記構成において、遺体収容室の出し入れ口を蓋止した状態の蓋体をロックするロック部材が本体ケーシングに設けられ、ロック部材を蓋体ロック状態またはロック解除状態に作動させるためにロック部材に連結されているとともに所定の支持位置に旋回した脚柱体と係脱自在に係合する係合部材が、本体ケーシングの下部に設けられ、脚柱体が所定の支持位置に旋回されたときに、脚柱体と係合した係合部材がロック部材を作動させて蓋体のロック状態を解除する構成にされているものである。
【０００８】
そして、本発明に係る別の遺体保冷庫は、箱状に形成された本体ケーシングと、本体ケーシング内に設けられていて当該側面に遺体を出し入れするための出し入れ口が形成されている遺体収容室と、遺体収容室内を冷却する冷却機構と、遺体収容室の出し入れ口を開閉するために出し入れ口の下縁部に略上下方向揺動自在に枢支された蓋体と、を備えて成り、蓋体の外面に脚柱体が略上下方向揺動自在に枢支され、所定位置に揺動された脚柱体が、出し入れ口から揺動されて略水平姿勢となった蓋体をその位置に支持する構成にされているものである。
【０００９】
更に、前記構成において、遺体収容室の出し入れ口を蓋止した状態の蓋体をロックするロック部材が蓋体に設けられ、ロック部材を蓋体ロック状態またはロック解除状態に作動させるためのリンク機構を介して、ロック部材と脚柱体とが連結され、脚柱体が蓋体から揺動されたときに、リンク機構がロック部材を作動させて蓋体のロック状態を解除する構成にされているものである。
【００１０】
そして、前記した各構成において、少なくともロック部材が、当該ロック部材を外部から視認可能なカバー体に内蔵されているものである。
【００１１】
更に、前記した各構成において、冷却機構が、冷媒を循環させて冷凍サイクル動作を行なう冷媒回路の蒸発器を含んで成るものである。
【００１２】
また、前記した構成において、水受皿と、冷媒回路の蒸発器で生じたドレン水を水受皿に導く導水路と、水受皿上に設置されてドレン水を吸収し蒸発させる吸水体と、から成るドレン蒸発機構を備えて成るものである。
【発明の効果】
【００１３】
本発明の請求項１に係る遺体保冷庫によれば、出し入れ口から揺動されて略水平姿勢になった蓋体は、本体ケーシングの下部に設けられていて予め所定の支持位置に旋回された脚柱体により支持される。あるいは、本発明の請求項２に係る遺体保冷庫によれば、出し入れ口から揺動されて略水平姿勢となった蓋体は、蓋体の外面に設けられていて所定位置に揺動された脚柱体により支持される。これらによって、略水平姿勢の蓋体は出し入れ口の下縁部のみによる片持ち状態でなく、出し入れ口の下縁部と脚柱体とによる両持ち状態で安定に支持される。従って、両持ち状態の蓋体上と遺体収容室との間で遺体を移動させる場合でも、遺体が蓋体上から転落したり姿勢が変わったりするという不具合を引き起こすことがなく、遺体の安置状態を確実に維持することができる。
【００１４】
また、脚柱体に係合する係合部材と本体ケーシングのロック部材とを有するものでは、脚柱体が所定の支持位置まで旋回されていないときは、閉じている蓋体をロック部材がロック状態にして開放を禁じている。そして、脚柱体が所定の支持位置に旋回したときに脚柱体が係合部材と係合し、係合した係合部材がロック部材を作動させて蓋体のロック状態を解除する。あるいは蓋体のロック部材と脚柱体とを連結するリンク機構を有するものでは、脚柱体が蓋体から揺動されたときに、リンク機構が、ロック部材を作動させて蓋体のロック状態を解除する。これらにより、略水平姿勢に開かれた蓋体は必ず脚柱体で支持されることになる。従って、開かれた蓋体が傾きすぎて遺体を安定に載置させられないといった不具合を防ぐことができ、遺体の安置状態を崩すことなく好適に保持できるという効果がある。
【００１５】
そして、ロック部材を外部から視認可能なカバー体に内蔵されているものでは、ロック部材がロック状態であるかロック解除状態であるかを目視で確認することができる。従って、ロック部材または係合部材の故障などにより脚柱体が所定の支持位置に旋回されていないにも拘わらず目視で確認したロック部材がロック解除状態になっている場合に、出し入れ開口から蓋体を開くことを未然に止めることができる。逆に脚柱体が所定の支持位置に旋回されているのにロック部材がロック解除状態になっていない場合は、ロック部材または係合部材の故障であると判断することができ、迅速に故障対処を行なうことができる。
【００１６】
更に、冷却機構が冷媒回路の蒸発器を含んで成るものでは、比較的低い温度に遺体収容室内を冷却でき、低温制御も制御精度よく行なうことができる。
【００１７】
また、導水路と水受皿と吸水体とから成るドレン蒸発機構を備えて成るものでは、冷却機構の蒸発器の表面で生じたドレン水が、液体の状態で排水されるのではなく、気体である水蒸気にされたのちに排出されるので、保冷庫周辺に水滴が散らばったり汚したりすることを防ぐことができる。
【図面の簡単な説明】
【００１８】
【図１】本発明の実施形態１に係る遺体保冷庫の斜視図である。
【図２】前記遺体保冷庫の右側面図である。
【図３】前記遺体保冷庫の冷却機構を示す概略側断面図である。
【図４】前記冷却機構の吸水体を示す正面図である。
【図５】蓋体を略水平に開いた状態を示す遺体保冷庫の正面図である。
【図６】蓋体を略水平に開いた状態を示す遺体保冷庫の側断面図である。
【図７】蓋体を略水平に開いた状態を示す遺体保冷庫の平断面図である。
【図８】略水平に開かれた蓋体上に棺桶を載せた状態を示す遺体保冷庫の斜視図である。
【図９】ロック機構およびロック解除機構を備えた遺体保冷庫の一部断面を含む側面図である。
【図１０】前記ロック機構を示し、（ａ）はロック部材がロック状態にあるときの部分側面図、（ｂ）はロック部材がロック解除状態にあるときの部分側面図である。
【図１１】前記ロック解除機構を示し、（ａ）はロック部材がロック状態にあるときの係合部材の状態を示す部分側面図、（ｂ）はロック部材がロック解除状態にあるときの係合部材の状態を示す部分側面図である。
【図１２】脚柱体の状態を示したもので、（ａ）は脚柱体が下部ケーシングの前面に格納されている状態を示す部分平面図、（ｂ）は脚柱体が略水平方向に旋回して所定の支持位置に達した状態を示す部分平面図である。
【図１３】本発明の実施形態２に係る遺体保冷庫の斜視図である。
【図１４】前記遺体保冷庫の正面図である。
【図１５】前記遺体保冷庫の右側面図である。
【図１６】前記遺体保冷庫の蓋体の揺動側端部を示す一部断面を含む部分側面図である。
【図１７】蓋体を略水平に開いた状態を示す前記遺体保冷庫の側面図である。
【図１８】前記遺体保冷庫の蓋体のロック機構およびロック解除機構を側面から見た部分構成図である。
【図１９】脚柱体を開き始めたときのロック機構およびロック解除機構の動作を示す動作説明図である。
【図２０】図１９の状態から更に蓋体を開いた状態を側面から見た動作説明図である。
【図２１】脚柱体を閉じた蓋体で更に遺体収容室の出し入れ口を閉じる状態を示す動作説明図である。
【発明を実施するための形態】
【００１９】
本発明の実施形態を図面に基づいて説明する。尚、以下に述べる実施形態は本発明を具体化した一例に過ぎず、本発明の技術的範囲を限定するものでない。
図１〜図７に示すように、この実施形態１に係る遺体保冷庫１は、箱状に形成された本体ケーシング２を基体として構成されている。本体ケーシング２は、下面に複数のストッパー付き大型キャスタを備えた下部ケーシング３と、ケーシング内に遺体収容室４を有する上部ケーシング５とから一体に形成されている。本体ケーシング２を構成するパネル素材は、内面側がステンレス鋼板で形成され、外面側が鉄板で形成され、これらの間に断熱材が装入された３層構造となっている。外面である鉄板の表面には、例えば高級感のあるハンマートーンの塗装が施されている。遺体収容室４の前面（本発明の当該側面）には、遺体を収容した棺桶Ｋを棺桶側方から出し入れするための横長長方形状の出し入れ口４Ａが形成されている。出し入れ口４Ａの下縁部４Ｃには、出し入れ口４Ａを開閉するための蓋体７が左右のヒンジ部６，６を介して上下方向揺動自在に枢支されている。起立状態の蓋体７における背面には、遺体収容室４への搬入前または遺体収容室４からの搬出後の棺桶Ｋを載置する受台部１９が設けられている。下部ケーシング３の前面も横長長方形状の開口部が形成されている。下部ケーシング３のケーシング内３Ａには、葬儀などに用いる備品を収納しても構わない。
【００２０】
下部ケーシング３の開口部には、左右方向に適宜離間した例えば３本の支柱１０，１０，１０が上下の辺部に架け渡されている。左右外側２本の支柱１０，１０には、左右１対の脚柱体７６，７６がそれぞれ水平方向旋回自在に枢支されている。各脚柱体７６は、支柱１０にヒンジ部１２を介して水平方向旋回自在に枢支された脚柱部１１と、脚柱部１１の上下端部に水平向きで固設された上下１対の横桟部７４，７４と、桟部７４，７４の先端部に垂直向きで固設された脚柱部１３と、脚柱部１３の下端部に取り付けられた上下伸縮自在の伸縮脚１４とから構成されている。脚柱部１１と上側の桟部７４と脚柱部１３のいずれの上面も同一平面上に配置されて、水平姿勢になった蓋体７を載置、支持するようになっている。これら左右の脚柱体７６，７６は正面から視て観音開き状に水平方向に開閉されるようになっている。
【００２１】
本体ケーシング２の左右の側面前部と蓋体７の左右の側面下部との間は、係止アーム８，８で連結されている。これらの係止アーム８，８は、出し入れ口４Ａから開いた蓋体７を止めて水平方向に位置決め係止するものである。遺体収容室４の底面４Ｂには、３基のコンベアユニット２０Ａ，２０Ａ，２０Ａが左右横並びに設置されている。各コンベアユニット２０Ａは、複数のローラ２０，２０，・・・が前後に適宜間隔で配置されて成り、載置した棺桶Ｋの前後移動を助けるようになっている。上部ケーシング５の上面５Ａの前辺部には、複数のスナッパ９，９，９が設置されている。これらのスナッパ９，９，９は、出し入れ口４Ａを封止した状態の蓋体７と係合して蓋体７を開閉可能に錠止するものである。この本体ケーシング２は例えば外形高さが１７００ｍｍ、横幅が２３００ｍｍ、奥行が８５０ｍｍ程度である。冷却機構１５の消費電力は例えば３２０Ｗ程度であり、庫内温度は例えば０〜１０℃に設定でき、通常の設定庫内温度は例えば保存性が高い５℃である。上部ケーシング５の上面５Ａには、遺体収容室４内を冷却する冷却機構１５と、冷却機構１５の制御、設定値の入力変更、検出値や警報データの表示を行なうコントローラ１８が設置されている。
【００２２】
冷却機構１５は、図３に示すように、遺体収容室４内を冷却する冷却ユニット１６と、冷却ユニット１６で生じたドレン水Ｄを機外に自然蒸散させるドレン蒸発機構１７とから構成されている。冷却機構１５の消費電力は例えば３２０Ｗ程度である。冷却ユニット１６は、上部ケーシング５の上面５Ａに設置された外側ケーシング２２内に内蔵された冷媒回路２３を備えている。冷媒回路２３は、圧縮機２４、凝縮器２５、冷媒絞り弁２６および蒸発器２７が冷媒配管２８を介して順次環状に連結され、冷媒を循環させて冷凍サイクル動作を行なうようになっている。凝縮器２５と蒸発器２７の構造は例えばプレートフィンチューブ式であり、冷媒は例えばＲ１３４ａを使用している。
【００２３】
外側ケーシング２２内は、断熱板などから成る内部ケーシング３０により、冷気風路３３，３４と外気風路４９とに区画されている。前記の冷気風路３３には蒸発器２７が内蔵されている。蒸発器２７の通風下流側となる冷気風路３４にはファン２９が配備されている。すなわち、冷気風路３３は蒸発器２７に対して冷気吸込側に位置し、冷気風路３４は蒸発器２７およびファン２９に対して冷気吹出側に位置している。蒸発器２７の下方には、蒸発器２７の表面から滴り落ちたドレン水Ｄを収受するドレンパン３１が配備されている。冷気風路３３の下方は遺体収容室４内と連通する吸込み口３５となっており、冷気風路３４の下方も遺体収容室４内３５と連通する吹出し口３６となっている。これらの吸込み口３５と吹出し口３６とは、ドレンパン３１の下面に固設された仕切り板３２により区画されている。一方、外気風路４９においては、外側ケーシング２２の一面に外気の吸込み口３８が形成され、別面に吹出し口３９が形成されている。外気風路４９内で吸込み口３８の近傍には凝縮器２５が設置され、凝縮器２５の通風下流側に外気吸込用のファン３７が配備されている。
【００２４】
ドレン蒸発機構１７は、上部ケーシング５の上面５Ａにおける冷却ユニット１６の背方位置に設置されたケーシング４１と、ケーシング４１の底部に設置された水受皿４２と、水受皿４２上に設置されてドレン水Ｄを毛細管現象で吸収し蒸発させる吸水体４３とを備えて構成されている。前記の水受皿４２と冷却ユニット１６のドレンパン３１には導水路４０が溶接付けで連結され、これにより、水受け皿４２とドレンパン３１とが導水路４０を介して連通している。この導水路４０は、蒸発器２７で生じたドレン水Ｄを水受皿４２に導くものである。そして、ケーシング４１において冷却ユニット１６の吹出し口３９と対面する位置には、吸込み口４４が形成されている。また、ケーシング４１において吸込み口４４と対向する側面には吹出し口４６が形成され、ケーシング４１の上面には吹出し口４５が形成されている。そして、吸水体４３は、図４に示すように、長尺厚紙状の吸水紙４７が適宜間隔で上下に折り返されて蛇腹状に形成されたものである。この蛇腹状の吸水紙４７の頭部と上下中間部と下部の回りにそれぞれ巻帯４８，４８，４８が巻きつけられて吸水紙４７の定形性が保持されている。
【００２５】
上記のように構成された遺体保冷庫１の作用を次に説明する。
棺桶Ｋが収容された遺体収容室４の出し入れ口４Ａは蓋体７が蓋止しており、この蓋体７はスナッパ９，９，９により錠止されている。そして、弔問客が棺桶Ｋ内の遺体の尊顔を拝したい場合は、棺桶Ｋを出し入れ口４Ａから引き出して拝観される。そこで、各脚柱体７６は所定の支持位置（例えば、図５および図６に示すように下部ケーシング３の前面と直角の前方位置）まで水平旋回される。その位置で各脚柱体７６は回り止め具７５（図１２）の作用により旋回が停止される。ここで、各脚柱体７６の伸縮脚１４が伸ばされて着地し、その位置で各脚柱体７６を固定する。その後、蓋体７が出し入れ口４Ａからヒンジ部６回りに前方に揺動される（矢印Ｒ方向）。そして、水平姿勢になった蓋体７は脚柱体７６，７６の上面で受けられて支持される。このとき、蓋体７は出し入れ口４Ａの下縁部４Ｃと脚柱体７６，７６の上面とにより両持ち支持される。更に、遺体収容室４内に収容されていた棺桶Ｋがコンベアユニット２０Ａ，２０Ａ，２０Ａ上を搬出されて蓋体７の受台部１９上に載置される。このときの状態は、図５、図６、図７および図８に示す通りである。
【００２６】
上記したように、この実施形態１の遺体保冷庫１によれば、出し入れ口４Ａから揺動されて水平姿勢はなった蓋体７が、予め所定の支持位置に旋回された脚柱体７６により支持されるので、水平姿勢の蓋体７は出し入れ口４Ａの下縁部４Ｃのみによる片持ち状態でなく、出し入れ口４Ａの下縁部４Ｃと脚柱体７６の上面とによる両持ち状態で安定に支持される。従って、両持ち状態の蓋体７上と遺体収容室４との間で棺桶Ｋを移動させる場合でも、棺桶Ｋが蓋体７上から転落したり向きが変わったりするという不具合を生じない。その結果、棺桶Ｋの姿勢を安定に維持することができる。そして、冷却機構１５として冷媒回路２３を用いているので、遺体収容室４内を０〜１０℃といった比較的低温に制御精度よく冷却できる。また、ドレン蒸発機構１７を備えているので、蒸発器２７の表面で生じたドレン水Ｄを液体の状態で排出するのでなく気体にして排出するので、保冷庫周辺に水滴が散らばったり汚染したりすることがない。
【００２７】
そして、この実施形態１の遺体保冷庫１は、図９、図１０、図１１および図１２に示すように、上部ケーシング５の外側面に配備されたロック機構５０と、下部ケーシング３のケーシング内３Ａに配備されたロック解除機構５１とを備えている。ロック機構５０は、上部ケーシング５の外側面の前上部に固設された基盤部５２と、基盤部５２に突設された枢軸５３に前後揺動自在に枢支された板状のロック部材５４と、ロック部材５４の先端部に形成された凹部５４Ａと、ロック部材５４の末端部に設けられた枢軸５９に回動自在に枢支されたリンクアーム６０と、ロック部材５４における凹部５４Ａと枢軸５３の間に突設された止めピン５６と基盤部５２に突設された止めピン５７とに架け渡されてロック部材５４を下向きにバネ付勢するコイルスプリング５８と、ワイヤ６２を収容したワイヤチューブ６４の一端部を固定するために基盤部５２に取り付けられた固定用金具６３と、ワイヤ６２の一端部を固定するためにリンクアーム６０の先端部に設けられた固定部６１と、ロック部材５４、リンクアーム６０およびコイルスプリング５８を被ってこれらを外部から視認可能とするために基盤部５２に取り付けられたカバー体６５とから構成されている。
【００２８】
ロック解除機構５１は、支柱１０の背部７０に固設された平面視Ｌの字状の固定用金具７７と、固定用金具７７の折り曲げ板部および支柱１０を貫通して配備された棒状の係合部材６６と、係合部材６６の一端部に固設されたＬ字板状の連結具６８と、係合部材６６の途中に固設された止め輪７２と固定用金具７７の折り曲げ板部との間の係合部材６６に装着されて係合部材６６の係合端６７を支柱１０から前方に突出させる方向にバネ付勢するコイルスプリング７１と、固定用金具７７の折り曲げ板部に取り付けられた前記ワイヤチューブ６４の他端部から露出したワイヤ６２の他端部を固定するために連結具６８に設けられた固定部６９と、コイルスプリング７１により付勢される係合部材６６の止め輪７２
と、固定用金具７７の折り曲げ板部と連結具６８との間の係合部材６６に固設されて係合部材６６の戻り位置を規定する止め輪７３とから構成されている。そして、下部ケーシング３の前側辺部と脚柱体７６の横桟部７４との間には、途中で折れ曲がり自在の回り止め具７５が架け渡されている。
【００２９】
前記のように構成されたロック機構５０とロック解除機構５１の作用を次に説明する。
まず、遺体収容室４の出し入れ口４Ａを蓋止している蓋体７は、ロック機構５０のコイルスプリング５８により付勢されたロック部材５４の凹部５４Ａが蓋体７の係止用突部５５に係合していることによりロック状態にされている（矢印Ｔ１方向）。また、ロック解除機構５１の係合部材６６の係合端６７は支柱１０の前面から大きく突出した状態（矢印Ｑ方向）にある（図１０（ａ）、図１１（ａ）および図１２（ａ））。そこで、脚柱体７６を手動などで出し入れ口４Ａの辺部と直角方向である前方位置（本発明にいう所定の支持位置）まで旋回させるときに（矢印Ｓ方向）、脚柱体７６の脚柱部１１の背面１１Ａが係合部材６６の係合端６７と係合して係合部材６６をケーシング内３Ａに向けて押し込む（矢印Ｑ１方向）。すると、連絡具６８が押されてワイヤ６２をワイヤチューブ６４から引き出す（矢印Ｐ方向）。これにより、ロック機構５０のリンクアーム６０が引かれてロック部材５４を枢軸５３回りに揺動させ、凹部５４Ａが係止用突部５５から離されて（矢印Ｔ２方向）、蓋体７のロック状態が解除されるのである。
【００３０】
以上のように、この実施形態の遺体保冷庫１は、脚柱体７６が所定の支持位置まで旋回されていないときは、閉じている蓋体７を開かせない。そして、脚柱体７６が所定の支持位置に旋回したときに脚柱体７６が係合部材６６と係合し、係合した係合部材６６がロック部材５４を作動させて蓋体７のロック状態を解除するので、開かれた蓋体７は必ず脚柱体７６上および出し入れ口４の下縁部４Ｃで両持ち支持されることになる。従って、開かれた蓋体７が傾きすぎて棺桶Ｋを安定に載置させられないといった不具合を防ぐことができる。その結果、棺桶Ｋの姿勢を崩すことなく好適に保持することができる。
【００３１】
そして、ロック部材５４は、外部から視認可能なカバー体６５に内蔵されているので、ロック部材５４がロック状態であるかロック解除状態であるかを外部から目視で確認できる。従って、ロック部材５４または係合部材６６などの故障などにより脚柱体７６が所定の支持位置に旋回されていないにも拘わらず目視で確認したロック部材５４がロック解除状態になっているときに、出し入れ口４Ａから蓋体７を開くことを抑止することができる。逆に、脚柱体７６が所定の支持位置に旋回されているにも拘わらずロック部材５４がロック解除状態になっていない場合は、ロック部材５４または係合部材６６などの故障であると判断することができ、迅速に故障の対処ができる。
【００３２】
次に、本発明の実施形態２に係る遺体保冷庫を図１３〜図２１を参照して説明する。尚、各図に示した遺体保冷庫１ｂの構成要素において、先述した実施形態１の遺体保冷庫１と同じ構成要素には同じ符号を付し、全く同じ構成ではないが同種の構成要素には、新たな添字を付加したり異なる添字を付けたりした符号を用いている。
この実施形態２に係る遺体保冷庫１ｂは、図１３〜図１７に示すように、箱状に形成された本体ケーシング２ｂを基体として構成されている。本体ケーシング２ｂは、下面の角隅部に４つの大型キャスタ８２，８２，８２，８２を備えた下部ケーシング３ｂと、ケーシング内に遺体収容室４を有する上部ケーシング５ｂとから一体に形成されている。遺体収容室４の前面には出し入れ口４Ａが形成されている。出し入れ口４Ａの下縁部４Ｃには、出し入れ口４Ａを開閉するための蓋体７ｂが左右のヒンジ部６，６を介して上下方向揺動自在に枢支されている。
【００３３】
上部ケーシング５ｂは平らな上面５Ａを有し、その上面５Ａには拝観用窓８０が形成されている。この拝観用窓８０は観音開き式の一対の蓋８１，８１により開閉自在に封止される。そして、蓋体７ｂの揺動側端部７ｃに設けられた３つの平面ラッチ錠９ｂ（図１６参照）は、蓋体７ｂの揺動側端部７ｃ内に配備された本体ケース９ｃと、本体ケース９ｃに枢軸９ｄを介して前後揺動自在に軸支された把手９ｅと、本体ケース９ｃ内に配備されて把手９ｅと連結されているロック杆９ｆと、ロック杆９ｆの揺動側端部７ｃからの突出量を調整するための調整ネジ９ｇと、から構成されている。ロック杆９ｆは、把手９ｅの引き操作により揺動側端部７ｃから出没して、上部ケーシング５ｂの下面５ｄのロック穴９９に出入りするようになっている。
【００３４】
遺体収容室４内を冷却するための冷却機構１５は、本体ケーシング２ｂの下部ケーシング３ｂの底板部３ｃ上に配備されている。この冷却機構１５は、実施形態１で既述したように、冷却ユニット１６とドレン蒸発機構１７とから構成されている。そして、冷却ユニット１６と遺体収容室４とを連通する空気の吸込み口３５および吹出し口３６は、遺体収容室４の底面４Ｂを上下貫通して形成されている。そして、下部ケーシング３ｂの前面から左右側面にかけて、暗幕８３が架け渡される。この暗幕８３は冷却機構１５などを隠蔽して格調高い見栄えにする。
【００３５】
そして、遺体収容室４の出し入れ口４Ａを蓋止した垂直姿勢の蓋体７ｂにおける外面（前面）７ｅに、正面から視て縦長形状の格納用凹部７ｄ，７ｄが左右１対で陥没して形成されている。これらの格納用凹部７ｄ，７ｄ内には脚柱体７６ｂ，７６ｂが格納されている。そして、各脚柱体７６ｂは、格納用凹部７ｄ内に突設されたヒンジ軸８４を介して上下方向（矢印Ｕ方向）に揺動自在に枢支されている。ヒンジ軸８４には捻りスプリング８５が装着されている。この捻りスプリング８５は、その一端が、格納用凹部７ｄの内壁に突設された止めピン９４で係止されていて、脚柱体７６ｂを常に開く方向（図１９中の矢印Ｕ１方向）にバネ付勢している。
【００３６】
上記のように構成された遺体保冷庫１ｂの作用を次に説明する。
棺桶Ｋが収容された遺体収容室４の出し入れ口４Ａは蓋体７ｄが蓋止しており、この蓋体７ｄは平面ラッチ錠９ｂ，９ｂ，９ｂおよびロック機構５０ｂ，５０ｂにより錠止されている。そして、弔問客Ｍ１，Ｍ２が棺桶Ｋ内の遺体の尊顔を拝したい場合は、弔問客Ｍ１，Ｍ２は蓋８１，８１を開けて拝観用窓８０から遺体を拝することができる。
あるいは、棺桶Ｋを出し入れ口４Ａから引き出して拝観することも可能である。その場合、まず３つの平面ラッチ錠９ｂ，９ｂ，９ｂの把手９ｅが引かれることにより開錠される。次に、２つの脚柱体７６ｂ，７６ｂの下端が前方（矢印Ｕ１方向）に引き出され、図２０に示すように、蓋体７ｂの外面７ｅと直角の位置（本発明にいう所定位置）まで揺動される。その後、蓋体７ｂが出し入れ口４Ａからヒンジ部６回りに前方に揺動される（矢印Ｒ１方向）。そして、脚柱体７６ｂ，７６ｂの先端が床面に着地すると、水平姿勢の蓋体７ｂが出し入れ口４Ａの下縁部４Ｃと脚柱体７６ｂ，７６ｂとにより両持ち支持される。すなわち、脚柱体７６ｂの長さは、その先端が着地したときに蓋体７ｂを略水平姿勢に支持できる長さに設定されている。その後、遺体収容室４内に収容されていた棺桶Ｋがコンベアユニット２０Ａ，２０Ａ，２０Ａ上を搬出されて蓋体７の受台部１９上に載置されるのである。
【００３７】
上記したように、この実施形態２の遺体保冷庫１ｂによれば、出し入れ口４Ａから揺動されて水平姿勢になった蓋体７ｂが、予め所定位置に揺動されて着地した脚柱体７６ｂにより支持されるので、水平姿勢の蓋体７ｂは出し入れ口４Ａの下縁部４Ｃのみによる片持ち状態でなく、出し入れ口４Ａの下縁部４Ｃと脚柱体７６ｂ，７６ｂとによる両持ち状態で安定に支持される。従って、蓋体７ｂ上と遺体収容室４との間で棺桶Ｋを移動させる場合でも、両持ち状態の蓋体７上から棺桶Ｋが転落したり向きが変わったりするという不具合を生じない。その結果、棺桶Ｋの姿勢を安定に維持することができる。一方、冷媒回路２３を有する冷却機構１５により、遺体収容室４内を０〜１０℃といった比較的低温に制御精度よく冷却できる。また、ドレン蒸発機構１７を備えているので、蒸発器２７の表面で生じたドレン水Ｄを液体の状態で排出するのでなく気体にして排出するので、保冷庫周辺に水滴が散らばったり汚染したりすることがない。
【００３８】
他方で、この実施形態２の遺体保冷庫１ｂは、図１８に示すように、遺体収容室４の出し入れ口４Ａを蓋止した状態の蓋体７ｂをロックするロック機構５０ｂが、蓋体７ｂの揺動側端部７ｃに設けられている。ロック機構５０ｂは、蓋体７ｂの揺動側端部７ｃに内蔵されたケース８６と、ケース８６内に矢印Ｌ１，Ｌ２方向に移動自在に設けられて先端部が揺動側端部７ｃの端面から出没自在に移動するロック部材５４ｂと、ロック部材５４ｂの周囲に取り付けられた状態でケース８６内に収容されてロック部材５４ｂを揺動側端部７ｃの端面から押し出す方向にバネ付勢するコイルスプリング８７と、コイルスプリング８７の一端を係止するためにロック部材５４ｂの外周面に固設された係止リング１００と、から構成されている。尚、蓋体７ｂの端面から突出したロック部材５４ｂの先端は、上部ケーシング５ｂのロック穴９５内に入り込んでロック状態とされるようになっている。ロック穴９５は上部ケーシング５ｂにおける前側の下面５ｄに上向きに陥入して形成されている。揺動側端部７ｃ内におけるケース８６の背方には、出し入れ口４Ａに蓋体７ｂを閉止したときの当接力を弱める、例えばゴム製の緩衝材９６が配備されている。そして、ロック部材５４ｂを蓋体ロック状態またはロック解除状態に作動させるために、ロック部材５４ｂと脚柱体７６ｂとがリンク機構９３を介して連結されている。
【００３９】
リンク機構９３は、ロック部材５４ｂの末端部に連結された軸受部８８と、軸受部８８にロック部材５４ｂと直角の方向に設けられた枢軸８９と、脚柱体７６ｂにおけるヒンジ軸８４近傍位置に後向きに突設されたピン支持板９０と、ピン支持板９０の先端部に前記の枢軸８９と平行に設けられたピン９１と、一端側が枢軸８９に回動自在に軸支され、他端側にピン９１を揺動自在に収容する長穴９２を有するリンクアーム６０ｂと、から構成されている。
【００４０】
前記のように構成されたロック機構５０ｂの作用を次に説明する。
まず、３つの平面ラッチ錠９ｂ，９ｂ，９ｂが開錠されている状態でも、図１８に示すように、ロック部材５４ｂがロック機構５０ｂのコイルスプリング８７により矢印Ｌ１方向に付勢されて上部ケーシング５ｂのロック穴９５に係合していることにより、蓋体７ｄはロック状態にされている。そこで、脚柱体７６を手などで前方に引くと、揺動側端面にある係合突部９７が格納用凹部７ｄ内の係合穴９８から外れて、図１９に示すように、蓋体７ｂがヒンジ軸８４を中心として揺動する（矢印Ｕ１方向）。これに伴なって、脚柱体７６ｂ側のピン９１がヒンジ軸８４の下方位置に移動する。それにより、リンク機構９３を介して、ロック部材５４ｂが下向き（矢印Ｌ２方向）に引き下げられる。その結果、ロック部材５４ｂの先端が上部ケーシング５ｂのロック穴９５から抜け出て、蓋体７ｂのロック状態が解除され、蓋体７ｂの揺動と出し入れ口４Ａの開放が可能となる。更に、図２０に示すように、脚柱体７６ｂは蓋体７ｂの外面７ｅと直角の所定位置まで揺動される。
【００４１】
以上のように、この実施形態２の遺体保冷庫１ｂでは、脚柱体７６ｂ全体が揺動側端部７ｄ内に格納されているときは、ロックされている蓋体７ｂを開放させない。そして、脚柱体７６ｂが格納用凹部７ｄから引き出されると、リンク機構９３はロック部材５４ｂをロック穴９５から引き抜いて蓋体７ｂのロック状態を解除する。その後、脚柱体７６ｂが蓋体７ｂの外面７ｅと直角の所定位置まで旋回される。更に、蓋体７ｂが水平位置まで開かれると脚柱体７６ｂの下端が着地する。従って、脚柱体７６ｂ，７６ｂが格納用凹部７ｄ，７ｄから出されないまま、蓋体７ｂが不用意に開かれるという不具合を防止できる。
【００４２】
そして、蓋体７ｂを閉めるときは、例えば図２１に示すように、まず脚柱体７６ｂを格納用凹部７ｄに格納させると、ロック部材５４ｂが揺動側端部７ｃ内に引き込まれる（矢印Ｌ２方向）。その状態で、蓋体７ｂを矢印Ｒ２方向に押し込むと、ロック部材５４ｂの先端が上部ケーシング５ｂの下面５ｄに摺接し、ロック部材５４ｂは揺動側端部７ｃ内に更に押し込まれる。これにより、リンクアーム６０ｂも移動するが、ピン９１がリンクアーム６０ｂの長穴９２内を遊動することにより、脚柱体７６ｂには干渉しない。その後、ロック部材５４ｂの先端がロック穴９５内に入り込んで、蓋体７ｂをロック状態にするのである。
【００４３】
尚、上記の実施形態１，２では、冷却機構として冷媒回路の蒸発器を利用した例を示したが、本発明の遺体保冷庫はそれに限定されるものでない。例えば、ドライアイス、冷却済みの蓄冷剤、あるいは氷などを冷却機構の冷却材として用いて遺体収容室内を冷却するようにしても構わない。
また、上記では、内部に遺体を安置した棺桶Ｋを出し入れ口から遺体収容室に出し入れする例を示したが、棺桶Ｋを用いず尊厳を害しない取扱いをするという前提で、遺体だけを出し入れ口から遺体収容室に出し入れするようにしても構わない。
【符号の説明】
【００４４】
１，１ｂ  遺体保冷庫
２，２ｂ  本体ケーシング
３，３ｂ  下部ケーシング
４  遺体収容室
４Ａ  出し入れ口
４Ｃ  下縁部
５，５ｂ  上部ケーシング
６  ヒンジ部
７，７ｂ  蓋体
７ｄ  格納用凹部
７ｅ  外面
１０  支柱
１１  脚柱部
１１Ａ  背面
１２  ヒンジ部
１５  冷却機構
１６  冷却ユニット
１７  ドレン蒸発機構
２３  冷媒回路
２７  蒸発器
３１  ドレンパン
４０  導水路
４２  水受皿
４３  吸水体
５０，５０ｂ  ロック機構
５１  ロック解除機構
５４，５４ｂ  ロック部材
５４Ａ  凹部
５５  係止用突部
６０ｂ  リンクアーム
６２  ワイヤ
６５  カバー体
６６  係合部材
６７  係合端
７６，７６ｂ  脚柱体
８４  ヒンジ軸
９３  リンク機構
９５  ロック穴
Ｄ  ドレン水
Ｋ  棺桶
Ｑ１  矢印
Ｒ  矢印
Ｒ１  矢印
Ｒ２  矢印
Ｕ１  矢印
Ｕ２  矢印
【図１】
2013059532.tif 000003
【図２】
2013059532.tif 000004
【図３】
2013059532.tif 000005
【図４】
2013059532.tif 000006
【図５】
2013059532.tif 000007
【図６】
2013059532.tif 000008
【図７】
2013059532.tif 000009
【図８】
2013059532.tif 000010
【図９】
2013059532.tif 000011
【図１０】
2013059532.tif 000012
【図１１】
2013059532.tif 000013
【図１２】
2013059532.tif 000014
【図１３】
2013059532.tif 000015
【図１４】
2013059532.tif 000016
【図１５】
2013059532.tif 000017
【図１６】
2013059532.tif 000018
【図１７】
2013059532.tif 000019
【図１８】
2013059532.tif 000020
【図１９】
2013059532.tif 000021
【図２０】
2013059532.tif 000022
【図２１】
2013059532.tif 000023